Podtech/llm-jp-corpus-v4-ja_patent huggingface dataset:
(57)【要約】      （修正有）【課題】鉄筋の溶接部への熱影響を軽減し、引張試験における破断が溶接部で起こることと、伸びが低減することを防止する溶接電極を提供する。【解決手段】溶接用の電流を鉄筋に供給する電極１の端部を切断除去して切欠を形成し、切欠面に電気絶縁物の紙２を設け、紙２を介在させて切断した電極部を絶縁電極部１０として固定した。この電極１で鉄筋３の端部を把持してアプセット溶接等の突合せ溶接する。【選択図】図２
0003151297.tif 000002
【実用新案登録請求の範囲】
【請求項１】
電極の先端部が切欠いてあり、切欠面に電気絶縁物を介在させて先端部を絶縁電極部としてある鉄筋溶接用の電極。
【請求項２】
請求項１において、電気絶縁物が紙である鉄筋溶接用の電極。
【請求項３】
電極の先端部が切欠いてあり、切欠部に電気絶縁物からなる絶縁電極部が設けてある鉄筋溶接用の電極。
【考案の詳細な説明】
【技術分野】
【０００１】
本考案は、高強度鉄筋等の棒材の突合せ溶接に使用する電極に関する。
【背景技術】
【０００２】
コンクリート構造物の柱、梁には、主筋を包囲するせん断補強筋が配筋されている。
図３に示すように、せん断補強筋は、鉄筋を曲げ加工して四角形など任意の形状に成形し、端部を突き合わせて銅または銅合金、または軟鋼製の押さえ具５または上部電極と鉄筋３の位置決めをするＶ字溝１５が中央部に設けてある銅または銅合金製の電極１で上下から挟んで把持し、鉄筋３の端面同士を正確に突き合わせて通電しながら鉄筋端面に圧力を加えて溶接面を溶接温度まで上昇させて接合するアプセット溶接またはフラッシュバット溶接によって接合して閉鎖形状とするものである。阪神大震災以降は、せん断補強筋に要求される強度が大きくなり、鉄筋強度（降伏点強度）が６８５Ｎ／ｍｍ2以上の高強度の鉄筋を採用することが多くなっている。このせん断補強筋は、引張試験において、溶接部で破断しないこと、また、溶接部を含む伸びが５％以上であることが要求されている。
【０００３】
閉鎖型のせん断補強筋は、電気抵抗溶接によって接合しているため、溶接時の熱影響によって溶接部の強度が低下し、また、伸びが小さくなるという問題がある。せん断補強筋を構成する鉄筋が高強度の場合は、溶接熱が鉄筋の機械的特性に与える影響が比較的大きく、溶接部の強度が母材より低下して溶接部、または、溶接部近傍で破断する確率が高くなる。
この問題を解決するため、溶接電極の形状を改善したり、電極に水冷手段を設けることが特許文献１（特開平６−９９２８６号公報）、特許文献２（特開２０００−０４２７５４号公報）に開示してある。
【先行技術文献】
【特許文献】
【０００４】
【特許文献１】特開平６−９９２８６号公報
【特許文献２】特開２０００−０４２７５４号公報
【考案の概要】
【考案が解決しようとする課題】
【０００５】
特許文献１では、鉄筋の溶接部にテーパが形成されるようにしたものあるが、熱影響については対策が施されておらず、また、特許文献２のように水冷手段を設けることは設備費が嵩むと共に維持管理に費用がかかるという問題がある。
本考案は、電極構造に簡単な改善を加えることによって鉄筋の溶接部への熱影響を軽減し、引張試験における破断が溶接部で起こらないようにすると共に、溶接部を含む伸びの低減を防止するものである。
【課題を解決するための手段】
【０００６】
突合せ溶接用の電極の先端部を切欠き、電気絶縁物を介在させて溶接部における熱影響を軽減することによって溶接熱の影響を軽減したものである。
【考案の効果】
【０００７】
本考案では、溶接の際に鉄筋を把持して電流を供給する電極の先端部が絶縁電極部であるので電流が流れず、鉄筋の接合部から離れた位置から電流が供給されるため、接合端部だけが温度上昇することがなく、熱影響が軽減され、引張試験における破断が溶接部から従来の電極に比較して離れた位置で起きる。
【０００８】
絶縁電極部は、溶接する鉄筋端部を保持すると共に鉄筋に生じた熱を逃がして冷却するものであり、鉄筋への熱影響を軽減する。また、鉄筋を所定の位置に保持して突合せ溶接の際の圧力による鉄筋の変形を阻止する。
その結果、溶接部を含めた伸びが従来の電極を使用したものと比較して改善され、品質の高い閉鎖型せん断補強筋を低コストで製造することができる。
【図面の簡単な説明】
【０００９】
【図１】本考案の電極の斜視図。
【図２】本考案の電極の正面図。
【図３】突合せ溶接の従来技術を説明する正面及び側面図。
【考案を実施するための形態】
【００１０】
図１に示すように、電極１は電気抵抗が低い銅合金製であり、中央に鉄筋３を載せて位置決めするＶ字溝１５が形成してある。電極１の先端部を切断除去して切欠を形成し、この切欠の切断面に厚さ０．０８〜０．２ｍｍ程度の紙２を設置して電気的に絶縁状態とし、紙２の上に切断した絶縁電極部１０を載せて一体化した。紙２は複写機に使用される一般的な紙であっても電気的絶縁が確保される。
【００１１】
切欠面に紙や布などの絶縁物を設置することなく、切欠に設置する絶縁電極部１０自体を電気絶縁物質としてもよい。この電気絶縁物質の熱伝導率が低い場合、溶接熱が電極内部にこもって鉄筋に熱影響を与えるので熱伝導率が高いものが好ましい。
【００１２】
絶縁電極部１０と電極１の接触面における電気絶縁は、紙に代えて布、合成樹脂など電気的絶縁が達成できるものであればよい。また、電気絶縁塗料を切欠面に塗布したり、電気絶縁製の接着剤を塗布して絶縁電極部１０を接着固定してもよい。
【００１３】
溶接の際は、図２に示すように、鉄筋３は電極１のＶ字溝１５にその先端を電極端面より突出させて載せられ、上側から押さえ電極で鉄筋３を押さえて移動しないようにされた状態で電極１を通じて鉄筋に電流を供給し、鉄筋３の端面を正確に合わせて端面に圧力を加えて溶接する。
【００１４】
試験例
溶接条件を同じにし、従来の電極と本考案の電極を使用して（引張強さ９３０Ｎ／ｍｍ2、降伏点強度７８５Ｎ／ｍｍ2）の鉄筋を溶接し、引張強度試験をおこない、引張強さ、伸び、及び破断部の位置（溶接部からの距離）を測定した。その結果を表１に示す。
【００１５】
【表１】
0003151297.tif 000003
【００１６】
表１に示すように、本考案の電極を使用して溶接した場合、引張強さは、絶縁電極部を有しない従来の電極を使用したものに比較して５％の減少となったが、規格強度を超えており実用的に問題がない。本考案が改善を目指した伸びは従来の電極を使用したものに比較して１８％大きくなり、また、破断位置は従来のものより溶接部から離れた位置となり、３８％の改善となっている。
以上のように、本考案の電極を使用して鉄筋を突合せ溶接することによって、高品質のせん断補強筋が低コストで製造することができる。
【符号の説明】
【００１７】
１    電極
１０  絶縁電極部
１５  Ｖ字溝
２    紙（電気絶縁物）
３    鉄筋
【図１】
0003151297.tif 000004
【図２】
0003151297.tif 000005
【図３】
0003151297.tif 000006
(57)【要約】      （修正有）【課題】患者をベッドに仰臥させたままの状態で洗髪可能な洗髪用補助具を提供する。【解決手段】この洗髪用補助具はプラスチック製直方体容器３に頭載せ台５を備えると共に、その容器の一方の側面には開閉可能に流出口７を設けてホース８に連結させることによりベッド下のバケツ９に排水可能な洗髪用容器本体３と仰臥した状態に於いて人の肩から背中にそうような形状で肩から腰上部にそって支える背面支持台１を組み合わせて併用することにより仰臥状態のままで洗髪可能である洗髪用補助具である。【選択図】図４
0003151294.tif 000002
【実用新案登録請求の範囲】
【請求項１】
プラスチック製直方体容器で、容器には中央部に通水可能な頭載せ台を設置しており容器の一方の側面には開閉可能に流出口を設けてこの流出口にホースを連結させることにより排水が可能である洗髪用容器本体と、仰臥した状態に於いて人の肩から背中にそうような形状で肩から腰上部を支える背面支持台を組み合わせて併用することにより仰臥状態のまま洗髪可能であることを特徴とする洗髪用補助具。
【請求項２】
洗髪用容器と背面支持台を備え、洗髪用容器と背面支持台の一つの面が接触するように組み合わせて併用することにより仰臥状態のままで洗髪可能である請求項１記載の洗髪用補助具。
【請求項３】
背面支持台の中は中空容器でいずれかの側面が開口されると共に、それをふさぐ栓が取りつけられていて、内部に液体が収容可能である請求項１または２記載の洗髪用補助具。
【請求項４】
洗髪用容器内の頭載せ台は脚部と頭の背部を支持する頭支持部からなり脚部は折りたたみ可能とし、頭支持部は複数の帯状帯あるいはメッシュ状態とし通水可能となっている請求項１、２または３記載の洗髪用補助具。
【考案の詳細な説明】
【技術分野】
【０００１】
本考案は患者をベッドに仰臥させたままで洗髪可能な洗髪用補助具に関する
【背景技術】
【０００２】
従来の寝たきり患者の洗髪は、主に図６に示すようにケリーパッドと呼ばれる洗髪法でバスタオル等を馬蹄状に丸めてビニール袋に入れた物を頭の下に敷き、解放部より汚水をベッド下の容器に流していた。また一方たらいに水を入れて首だけを支持して洗髪する洗髪用補助具が提案されている。（例えば特許文献１）
しかし図６に示すようなケリーパッドでは患者の身体をベッドの端に移動する必要があるために、患者の身体的負担が大きく、又、作業状態によってはベッド周辺を汚しやすいので満足感の得られる洗髪ができにくいという問題があった。また、たらいに水を入れて首だけを支持して洗髪することは、頭がたらいの中で不安定で洗髪しにくいという問題があった。
【先行技術文献】
【特許文献】
【０００３】
【特許文献１】登録実用新案  第３００５７００号公報
【考案の概要】
【考案が解決しようとする課題】
【０００４】
本考案は上記の如き問題に対処しこれを解決しようとするもので患者が仰臥したまま洗髪可能な洗髪用補助具を提供することを目的とする。
【課題を解決するための手段】
【０００５】
上記目的を達成する本考案はプラスチック製直方体容器で、容器には中央に通水可能な頭載せ台を設置しており容器の一方の側面には開閉可能に流出口を設けてこの流出口にホースを連結させることにより排水可能である洗髪用容器本体と、仰臥した状態に於いて人の肩から背中にそうような形状で肩から腰上部を支える背面支持台を組み合わせて併用することにより仰臥状態のまま洗髪可能な洗髪用補助具であり患者の身体的な負担が少なく、ベッド周辺を汚すことなく洗髪が可能である。
【０００６】
請求項２〜４は上記洗髪用補助具の実施の各形態であり、請求項２は洗髪用容器と背面支持台を備え、洗髪用容器と背面支持台の一つの面が接触するように組み合わせて併用することにより仰臥状態のままで洗髪可能であることを特徴とする。
【０００７】
請求項３は、背面支持台の中は中空容器でいずれかの側面が開口されると共に、それをふさぐ栓が取りつけられていて、内部に液体を収容可能であることを特徴とする。
【０００８】
また請求項４は、上記洗髪用補助具において洗髪用容器の中の頭載せ台は脚部と頭の背部を支持する頭支持部からなり脚部は折りたたみ可能とし頭支持部は複数の帯状帯あるいはメッシュ状態とし通水可能となっていることを特徴とする。
【考案の効果】
【０００９】
本考案の洗髪用補助具によると寝たきり患者の身体を移動することなく仰臥した状態で簡単に洗髪ができ、又、ベッドの周囲も汚すことなく洗髪ができる。
【図面の簡単な説明】
【００１０】
【図１】本考案に係る洗髪用補助具の実施例を示す全体側面図である。
【図２】本考案に係る洗髪用補助具の実施例を示す上面図である。
【図３】本考案に係る洗髪用補助具の頭載せ台の一例を示す図である。
【図４】本考案に係る洗髪用補助具の使用例を示す全体側面図である。
【図５】本考案に係る洗髪用補助具の使用例を示す図である。
【図６】従来の使用例を示す概略図である。
【考案を実施するための形態】
【００１１】
本考案の洗髪用補助具は直方体容器３と、背面支持台１、直方体容器中央の頭載せ台５とからなっている。
【００１２】
洗髪用容器３は例えば合成樹脂製の直方体で容器の一方の側面には開閉可能に流出口７を設けてこの流出口７とホース８を連結させることによりベッド下のバケツ９に排水可能な洗髪用容器とした。容器の深さは背面支持台１と一つの面どうしが接触するように組み合わせて使用するため背面支持台１の高さBと同じにするが５ｃｍ以上、１５ｃｍ以下が好ましい。洗髪用容器内３には、取りはずし可能なシャンプー入れ４をつけておくと良い。
【００１３】
洗髪用容器３の中央に備える頭載せ台５は、洗髪用容器内３で頭を安定させるためのもので、脚部６を折りたためることとし、後頭部が接する面５はメッシュあるいは間隔を開けて複数、例えば３〜５本の帯状帯を張ることを特徴とする。
【００１４】
背面支持台１の中は中空容器でいずれかの側面が開口２されると共に、それをふさぐ栓が取りつけられていて内部に液体を収容可能とされている。仰臥した状態に於いて人の肩から背中にそうような形状で肩から腰上部にそって支えるもので、角度Ａは１０度以上３０度以下が好ましく素材は発泡スチロール又は合成樹脂が好ましい。
【符号の説明】
【００１５】
１     背面支持台
２     背面支持台の栓
３     洗髪用容器
４     シャンプー入れ
５     頭載せ台
６     頭載せ台脚部
７     洗髪用容器流出口
８     ホース
９     バケツ
【図１】
0003151294.tif 000003
【図２】
0003151294.tif 000004
【図３】
0003151294.tif 000005
【図４】
0003151294.tif 000006
【図５】
0003151294.tif 000007
【図６】
0003151294.tif 000008
(57)【要約】      （修正有）【課題】正方形又は長方形のこたつ布団の角につまづかずに、こたつを利用できるこたつ布団カバーを提供する。【解決手段】こたつ布団カバーの角を丸くして、周囲に４０ｃｍ位の裏布をつけ、こたつ布団カバーの裏地の裏側につけた紐で布団の角を結び、丸く整え、こたつ布団カバーの裏地の表側に取り付けた紐でやぐらに結びつけて、安定させることを特徴とする。【選択図】図４
0003151236.tif 000002
【実用新案登録請求の範囲】
【請求項１】
こたつ布団カバーの角を丸くして、周囲に４０ｃｍ位の裏布をつけ、内側につける紐で布団の角を結び、丸く整え、外側につける紐でやぐらに結びつけて、安定させたことを特徴とするこたつ布団用カバー。
【考案の詳細な説明】
【技術分野】
【０００１】
従来使用している正方形又は長方形のこたつ布団にカバーをかけることにより、布団の角を丸く整えることが出来る。
【背景技術】
【０００２】
従来のこたつ布団は正方形又は長方形であり、それに同形で１枚仕立て又は裏付のカバーで、いずれも形は四角である。このためコタツを利用する人、特に足腰の弱い老人の方などは立ったり座ったりする動作の過程で布団の角につまずいて思わぬ怪我をする場合がある。
あるいは特開平８−１５９４８７号に記載されているように、こたつ布団とカバーをともに多角形になすようなアイデアはあった。しかしながらこの場合は布団自体が多角形である必要があり、通常の正方形・長方形の布団で利用することはできなかった。
【先行技術文献】
【特許文献】
【０００３】
【特許文献１】特開平８−１５９４８７号公報
【考案の概要】
【考案が解決しようとする課題】
【０００４】
この考案は前記のような実情にかんがみ、従来の欠点を解消すべく考案されたものであって、この意図するところは、布団カバーの角を丸く形成し、且つその形態を維持して利用者が安心してこたつを利用できるよう提案するものである。
【課題を解決するための手段】
【０００５】
従来使用しているこたつ布団にカバーをかけることで角を丸く整え、固定することが出来る。
【考案の効果】
【０００６】
考案を使用するとき、テーブル形やぐらこたつ又はテーブル兼用のやぐらこたつに布団を掛けて使用する場合、角の部分が邪魔にならないので、周囲を動作する人の不安が少なく使いやすくなる。又、角の部分を固定するので状態を維持し中の熱が逃げるのを防ぐことが出来る。更に従来使用している布団がそのまま使用できるので便利である。収納も洗濯もしやすく他に角部が邪魔になるものに応用することも出来る。
【図面の簡単な説明】
【０００７】
【図１】布団カバー表地を表わす図である。
【図２】布団カバー裏地を表わす図である。
【図３】布団カバーの裏地の裏側に紐をつけた状態を表わす図である。
【図４】布団カバー裏地の表側に紐をつけた状態を表わす図である。
【考案を実施するための形態】
【０００８】
以下添付図面に従って実施例を説明する。
１は布団カバーの表地、２は布団の出し入れ口３を有する裏地、４は布団カバーの裏地の裏側に紐をつけた状態である。５及び６は裏地の表側に紐をつけた状態である。そして表地１と裏地２の外周を縫い合わせて布団カバーをつくる。出し入れ口３を介してこたつ布団をカバー内に入れる紐４で布団の角部を結んで折り返して形を整え紐５、６はやぐらの脚にそれぞれ結び付ける。このように四角をする事により固定できるので安心して使用できる。
【符号の説明】
【０００９】
１  布団カバーの表地
２  布団カバーに裏地
３  布団の出し入れ口
４  布団カバー裏地に取り付けた紐
【図１】
0003151236.tif 000003
【図２】
0003151236.tif 000004
【図３】
0003151236.tif 000005
【図４】
0003151236.tif 000006
【手続補正書】
【提出日】平成21年4月2日(2009.4.2)
【手続補正１】
【補正対象書類名】実用新案登録請求の範囲
【補正対象項目名】全文
【補正方法】変更
【補正の内容】
【実用新案登録請求の範囲】
【請求項１】
こたつ布団カバーの角を丸くして、周囲に４０ｃｍ位の裏布をつけ、こたつ布団カバーの裏地の裏側につけた紐で布団の角を結び、丸く整え、こたつ布団カバーの裏地の表側に取り付けた紐でやぐらに結びつけて、安定させることを特徴とするこたつ布団カバー。
(57)【要約】      （修正有）【課題】使用後にコップをフックに掛けた際に、コップの底面に水分を残留させないコップを提供する。【解決手段】コップの持ち手をコップ本体の下方位置に取り付ける事により、コップをフックに掛けた際、持ち手とフックの接点がコップの重心より底部に偏することを特徴とする。【選択図】図２
0003151232.tif 000002
【実用新案登録請求の範囲】
【請求項１】
コップの持ち手をコップ本体の下方位置に取り付ける事により、持ち手とフックの接点がコップの重心より底部に偏するように設定されたコップ。
【請求項２】
コップの持ち手下方位置にフック掛け部を設けることで、持ち手掛け部とフックの接点が、コップの重心より底部に偏するように設定されたコップ。
【考案の詳細な説明】
【技術分野】
【０００１】
本考案は、フックに掛かる持ち手の接点の重心が底部に偏していて、フックにコップを掛けた場合、コップの開口部が下向きになり、コップの内底部に水分が残留しないように設定されたものである。
【背景技術】
【０００２】
従来のコップの持ち手は、持ち手とフックの接点の重心が開口側に偏していて、フックにコップを掛けた場合に、コップの開口側が上向きになっていた。
持手とフックの接点の重心が開口側に偏していると、コップの開口側は上向きになりコップの底に水分が残留し、カビや細菌が繁殖する床になり、この状態でコップを常用すると、繁殖したカビや細菌に関連する疾病にかかる原因になる。コップから口内に進入する細菌の例とそては、歯周菌、虫歯菌等の菌類、カンジタ等の黴類、レジオネラ菌等の嫌気抗菌類、空気中に浮遊するＭＲＳＩ等である。カビや菌が気管や血管に侵入すれば、肺炎等様々な疾病の原因になる。菌や黴類が繁殖した状態のコップ底内部の現象は、茶褐色に変色し、変色した表面は、ぬるぬるして、使用者に不快感を与える。
【考案の概要】
【０００３】
使用後のコップの底部に残留する水分が、カビや細菌が繁殖する床にならないように、コップの開口部を下向きにし、水分を完全に排出させるための考案である。
【考案が解決しようとする課題】
【０００４】
解決しようとする問題点は、使用後にコップをフックに掛けると、コップの底面に水分が残留する。これを無くす点である。
【課題を解決するための手段】
【０００５】
フックにコップを掛けた場合、必ずコップの開口部が下側になるようなコップで、持ち手の形状と、持ち手とコップの接合位置に関わることを特徴とする。
【考案の効果】
【０００６】
本考案のコップの持ち手は、フックに掛けた場合必ずコップの開口部が下側になり、残留する水分は、引力に支配され、コップの開口部から流出され、水分の残留はない。従って、カビや菌の発生はない。
【図面の簡単な説明】
【０００７】
【図１】は従来のコップをフックに掛けた状態を示す説明図である。
【図２】は本考案の取っ手をコップの下方に設置しフックに掛けた状態を示した説明図である。
【図３】は取っ手の下方位置にフック掛け部を設け、フックとの接点にして、コップの重心がコップの底辺に偏するように設定した説明図。
【図４】は持ち手の形状でフックと持ち手の接点をコップの重心より底部に偏するための形である。
【図５】は持ち手とコップの接続位置によって、持ち手とフックの接点が、コップの重心より底部に偏するように設定したものである。持ち手の形状もコップの重心側に偏するような曲線であり、持ち手のどの部分にフックをかけても、フックと持ち手の接点は、コップの重心に偏するようになる形状である。
【図６】は持ち手とコップの接続位置を底部に置き、持ち手とフックの接点がコップの重心より底部に偏するようにし、さらにコップの持ち手の形状を曲線にし、持ち手のどこにフックをかけても、持ち手とフックの接点は、持ち手の形状によって滑り、コップの重心より底部に偏するような位置を得る形状である。
【考案を実施するための形態】
【０００８】
コップの持ち手のいかなる場所にフックを掛けても、コップとフックの接点は、コップの重心に対して底部に偏する位置にくるような形状である。
【実施例】
【０００９】
図２は、本考案の取っ手を持つコップをフックに掛けた状態を示す説明図である。
図３は、本コップの持ち手のフック掛け部を、コップの重心より底部に偏するよう
に設け、フックに掛けた後のフックとコップの静止位置が、フック掛け部になり、コップ開口部が下向きになるようになる、コップの形態を示す図である。
【産業上の利用可能性】
【００１０】
体力の低下により、カビや細菌に感染しやすい状態の人が、従来のコップを衛生管理の行き届かない状態で常用すると、コップの底部に繁殖するカビや細菌に感染する可能性がある。これにより医療費の増大になる。また、日常生活においても、コップの底部のぬるぬる感で、不快感を覚えることもある。当考案は、病院や、老人ホーム等の施設や、いっぱんの生活条件の中においても、衛生的に克つ快適な生活環境を与えることができる。
【符号の説明】
【００１１】
１    コップ本体
２    持ち手
３    フック
４    重心
５    持ち手とフックの接点
６    持ち手の下方位置にあるフック掛け部
【図１】
0003151232.tif 000003
【図２】
0003151232.tif 000004
【図３】
0003151232.tif 000005
【図４】
0003151232.tif 000006
【図５】
0003151232.tif 000007
【図６】
0003151232.tif 000008
【手続補正書】
【提出日】平成21年4月7日(2009.4.7)
【手続補正１】
【補正対象書類名】実用新案登録請求の範囲
【補正対象項目名】全文
【補正方法】変更
【補正の内容】
【実用新案登録請求の範囲】
【請求項１】
コップの持ち手をコップ本体の下方位置に取り付ける事により、コップをフック      に掛けた際、持ち手とフックの接点がコップの持ち手の重心より底部に偏するよう      に設定されたコップ。
【請求項２】
コップの持ち手下方位置にフック掛け部を設けることで、コップをフックに掛け      た際、フック掛け部とフックの接点が、コップの重心より底部に偏するように設定      されたコップ。
(57)【要約】      （修正有）【課題】洗濯物の高さを変えて吊るすことができる、洗濯用ハンガーを吊るす紐を提供する。【解決手段】長さ８０センチメートルほどの紐２の一端に直径５ｃｍほどのフック大１を、もう一端には直径２センチメートルほどのフック小３を装着する。洗い終えた洗濯物をハンガーに掛けて物干し竿に吊るすとき、本考案を用いて一つおきに下方に降りた位置に吊るし、通気性を確保する。【選択図】図１
0003151247.tif 000002
【実用新案登録請求の範囲】
【請求項１】
長さ８０センチメートルほどの紐（２）の一端に直径５センチメートルほどのフック大（１）を、もう一端には直径２センチメートルほどのフック小（３）をそれぞれ装着した、洗濯用ハンガーを吊るすための紐。
【考案の詳細な説明】
【技術分野】
【０００１】  この考案は、紐の両端に大小二つのフックを装着した、洗濯物用のハンガーを吊るすための小道具に関するものである。
【背景技術】
【０００２】  従来、洗濯用ハンガーを用いて洗い終えた洗濯物を物干し竿に並べて乾燥させる場合、洗濯物をかけたハンガーを直接物干し竿に吊るすので、洗濯物が同一の高さに並べられた。
【考案の開示】
【考案が解決しようとしている課題】
【０００３】  これには次のような欠点があった。アパートのベランダなどの限られたスペースで多量の洗濯物を乾燥させる場合、濡れた衣類同士が密集した状態となる。このため衣類の生地と生地の間隔が狭まり、通気性を損なうことで、乾燥するまでにより多くの時間を要した。さらに、同居人が多い場合などは、洗濯物が一層密集し、干す場所を確保することさえ困難な場合もあった。本考案は、以上のような欠点を軽減するための道具である。
【課題を解決するための手段】
【０００４】  洗い終えた洗濯物をハンガーに掛けて物干し竿に吊るすときに、小道具を用いて、一つおきに物干し竿から８０センチメートルほど下方に降りた位置に吊るす。これにより、同じ高さに洗濯物が密集することがなくなり、通気性を確保することができる。本考案は以上を目的とした、洗濯用ハンガーを物干し竿に吊るすための小道具である。
【考案の効果】
【０００５】  Ａ，洗濯物の掛かったハンガーを直接物干し竿に吊るす。Ｂ，洗濯物の掛かったハンガーを、本考案を介して物干し竿に吊るす。この場合、物干し竿から下方に降りた位置に洗濯物がとどまる状態となる。ＡとＢを交互に繰り返すことで（図３）、同じ高さに洗濯物が並ばないようする。この方法により、洗濯物同士の間隔が広くなり、通気性を確保することができる。その結果、多量の洗濯物を同じ物干し竿で乾燥させることができる。また、本考案を用いて、次のような三通りの応用も可能である。まず、本考案二本で短い物干し竿を吊るし（応用例ａ、図４）、洗濯物の下のスペースにも洗濯物を干すことができる。次に、靴下などを干す洗濯バサミを多数装着した物干し器具を、直接物干し竿に吊るすものと本考案を介して吊るすものを組み合わせれば（応用例ｂ、図５）、この器具を上下に二つ同時に吊るすことができる。さらに、水平に並んでいる物干し竿に本考案を渡せば（応用例ｃ、図６）、そこにも洗濯物を掛けて干すことができる。
【考案を実施するための最良の形態】
【０００６】  以下、本考案を実施するための最良の形態について説明する。
長さ８０センチメートルほどの紐（２）の一端に直径５センチメートルほどのフック大（１）を、もう一端には直径２センチメートルほどのフック小（３）を装着する。本考案は以上のような構造である。
【図面の簡単な説明】
【０００７】
【図１】本考案の正面図である。
【図２】本考案を用いて洗濯物の掛かったハンガーを吊るした図である。
【図３】本考案の使用の図である。本考案を用い多くの洗濯物を物干し竿に並べたときの図である。細い点線が本考案を用いない場合の洗濯物の位置である。
【図４】本考案の応用例ａの図である。細い点線が物干し竿、洗濯物、ハンガーを表す。
【図５】本考案の応用例ｂの図である。細い点線が物干し竿、洗濯物、靴下などを干す物干し器具を表す。
【図６】本考案の応用例ｃの図である。細い点線が物干し竿、タオル、そして本考案の透視を表す。
【符号の説明】
【０００８】  １  フック大
２  紐
３  フック小
４  本考案
【図１】
0003151247.tif 000003
【図２】
0003151247.tif 000004
【図３】
0003151247.tif 000005
【図４】
0003151247.tif 000006
【図５】
0003151247.tif 000007
【図６】
0003151247.tif 000008
(57)【要約】【課題】ゆで卵を作るとき、卵の黄身が中心になるように茹でることのできる器具を提供する。【解決手段】花形の形状をした器具の花弁の内側に卵の中央部分を挟み固定し茹でることにより、卵の黄身が中心になるように茹でることができ、従来の箸等で掻き回す煩わしさから解消できる。【選択図】図１
0003151249.tif 000002
【実用新案登録請求の範囲】
【請求項１】
ゆで卵の黄身が中心になるように茹でることができるようにするために、花形の形状をした器具の花弁部の内側に卵を立てて挟み固定し茹でることで、確実に茹でた卵の黄身が中心にあり、尚且つ従来のやり方の卵が固まるまで箸等でかき回す手間がはぶけ、煩わしい作業から解消できる花形ゆで卵調理器具。
【考案の詳細な説明】
【技術分野】
【０００１】本考案は、ゆで卵の黄身が中心に茹でることができるものである。
【背景技術】
【０００２】従来、上述の様に、茹でることのできる調理器具がなかった。
【考案の開示】
【考案が解決しようとする課題】
【０００４】従来、ゆで卵の黄身が中心になるようにするには、茹でる卵が固まるまで箸等でかき回すなどの作り方があったが、手間がかかり、その上確実に黄身が中心にくるとは限らない。という欠点があり、それを解消するものである。
【課題を解決するための手段】
【０００５】本考案は、卵に花形をした器具を用い、その器具の花弁部（１）の内側に卵を立てて入れ固定し、鍋などに入れ茹でることにより、確実に茹でた卵の黄身が中心になるようにでき、尚且つ茹でるときの手間も省ける。
【考案の効果】
【０００６】本考案を用いることにより、手間のかかる煩わしい作業から解消でき、確実に黄身が中心にあるゆで卵ができる。
以下、本発明の形態について説明する。
（イ）花弁は、卵を挟みやすい弾力性のあるものにする。
（ロ）花弁の内側を、【  】字状にすることで卵を固定し茹でるときに外れにくくする。
【図面の簡単な説明】
【図１】卵、装着前の正面図である。
【図２】卵、装着後の正面図である。
【図３】断面図である。
【符号の説明】  １  花弁部
【図１】
0003151249.tif 000003
【図２】
0003151249.tif 000004
【図３】
0003151249.tif 000005
(57)【要約】      （修正有）【課題】犬の脚を容易に水洗いし、水気を拭き取ることができるスポンジ付手袋を提供する。【解決手段】手袋１にスポンジ２を取り付け、この手袋をはめて水に浸して犬の脚を洗い、スポンジをしぼった後に犬の脚を拭くことができるように構成する。【選択図】図１
0003151244.tif 000002
【実用新案登録請求の範囲】
【請求項１】
手袋の手のひらにスポンジを貼り付けた手袋
【考案の詳細な説明】
【考案の詳細な説明】
【技術分野】
【０００１】犬用脚洗い、脚拭き用具に関するものである
【背景技術】
【０００２】従来、犬用手袋式脚洗い、脚拭き用具は無かった
【考案の開示】
【考案が解決しようとする課題】
【０００３】犬を散歩させた後に、犬の脚を洗い、脚をタオルなどで拭くのは、犬がじっとしていないのでやり難かった、本考案はそれを解決しようとするものである
【課題を解決する手段】
【０００４】これを図面１について説明すれば
（イ）手袋▲１▼にスポンジ▲２▼を貼り付ける
【発明の効果】
【０００５】本考案の、水に浸した手袋で、犬の脚を洗った後、手袋をしぼり、犬の脚をつかみ、水気を吸収するものである
【発明を実施する為の最良形態】
【０００６】図面１の手袋▲１▼にスポンジ▲２▼を貼り付けた手袋
【図面の簡単な説明】
【図１】スポンジつき手袋の斜視図
【符号の説明】▲１▼  手袋    ▲２▼  スポンジ
【図１】
0003151244.tif 000003
(57)【要約】      （修正有）【課題】縦軸を中心にして容器底に排出口を設け、縦に排出口を囲む形状の箱型を構成させ、軸に沿って上下させる事により、散布物が排出口から吐出する最小と最大の調整が広くなり、散布物の形状に関係なく調整巾を広げることが出来るコンパクトな散布機を提供する。【解決手段】容器１の中に縦軸２を設け先端に攪拌ペラ５を付け、縦軸２を芯に容器１に排出口６を作りその周りを縦軸２に組み込んだ箱型４を上下移動可能な調整ハンドル９の装置にして攪拌ペラ５は箱型４の中の散布物１３を攪拌するのみである為に抵抗が少なく簡単に吐出させることができる。作業終了後は底部止めナツト１５ａ，１５ｂ等を外す事により内部全体の水洗いが可能となる。【選択図】図１
0003151256.tif 000002
【実用新案登録請求の範囲】
【請求項１】
容器の中に縦軸を設け軸の先端底部に攪拌をさせる羽構造で軸を中心に容器の底に排出口が有り、軸を回転させる事により攪拌されて吐出される構造、流量調整の構造として縦軸に上下自在に移動可能なスライド式の構造、先端に羽構造を囲う箱型を形成させ箱型を上部に移動させたら排出口から出る量が増し下部に下ろしたら出る量が少なくなる構造を特徴とする散布機。
【考案の詳細な説明】
【技術分野】
【０００１】本考案は流量調整が出来る散布機に関するものである
【背景技術】
【０００２】従来この種の散布機はペラ、カムを回転で吐出しシヤッターで流量を調整しています、その為、最小と最大の範囲が狭く作業要望を満たさない、散布物によっては形状が異なる為良い散布調整が的確に出来ない。
【考案の概要】
【考案が解決しようとする課題】
【０００３】解決しようとする問題は従来のものでは散布物の形状が異なるので流量の調整が困難な点である。
【課題を解決するための手段】
【０００４】本考案は縦軸を中心にして容器底に排出口を設け、縦に排出口を囲む形状の箱型を構成させ軸に沿って上下させる事により、散布物が排出口から吐出する、最小と最大の調整が広い為散布物の形状に関係なく調整が出来る。
【考案の効果】
【０００５】本考案は軸の回転は一定で軸先端の攪拌ペラに散布物が接触し回転する構造、抵抗が少なく小型モーターでも排出が出来る、多段でかつ多段階の切り替えが容易に出来て安価になる効果がある。
【図面の簡単な説明】
【０００６】
【図１】本考案の実施例を示す断面図である
【図２】縦軸１を芯に箱型４の平面図と断面図
【考案を実施するための形態】
【０００７】縦軸を回転させて軸にスライド構造の箱型を上に上げると容器の中に有る散布物が攪拌ペラに接触されて吐出されることを、実現した。
【０００８】図１において１は容器  ２は縦軸  ３がスライド官、下部に設けた４箱型  ５は軸先端に取付けた攪拌ペラ、縦軸１を中心に排出口６、  ７ａ、７ｂ、７ｃ、７ｄ箱型を支持するリブ  ８固定ナット  ９は調整ハンドル、右に廻したらスライド官は下がり、左に廻したら上に上がるネジになっている、１０はカップリングで１１モーターと連結している、１２ベアリングユニットで軸を固定している構造、  １３は散布物  １４ａ１４ｂは止めピンで自在に回る、１５ａ１５ｂ１５ｃ１５ｄは簡単に取り外し出来るので管理がしやすい。
【実施例】
【０００９】図１は本考案の一実施例の断面図である、１容器に入っている、１３散布物は５の攪拌ペラが、回転しても６排出口からは出ず、９の調整ハンドルを左に廻す事により８ナットを介して４の箱型が上に上がり１３散布物が４箱型の内部に入り５攪拌ペラに接触して吐出する。
【産業上の利用可能性】
【００１０】本考案は構造がシンプルで安価に出来るので散布機として広く活用できる
【符号の説明】
【００１１】１  容器
２  縦軸
３  スライド官
４  箱型
５  攪拌ペラ
６  排出口
７ａ  スライド支持リブ
７ｂ  スライド支持リブ
７ｃ  スライド支持リブ
７ｄ  スライド支持リブ
８  固定ナット
９  調整ハンドル
１０  カツプリング
１１  減速モーター
１２  ベアリングユニット
１３  散布物
１４ａ  止めピン
１４ｂ  止めピン
１５ａ  底部止めナット
１５ｂ  底部止めナット
１５ｃ  底部止めナット
１５ｄ  底部止めナット
【図１】
0003151256.tif 000003
【図２】
0003151256.tif 000004
(57)【要約】【課題】まな板を、より洗浄しやすく乾燥しやすくし、従来以上に衛生的に使えるようにする。【解決手段】まな板１の全側面を傾斜面に形成したもの。こうすることで、表面から側面が直角ではなく、なだらかに続く形となり、洗浄の際は、まな板を立てたりせずに、表面から側面を一気に洗うことができる。又、直角面は無いため、その傾斜の効果で乾燥が早い。まな板の衛生に役立つ。【選択図】図１
0003151258.tif 000002
【実用新案登録請求の範囲】
【請求項１】
直方体のまな板であって、まな板の左右対辺側面あるいは、上下対辺側面の一方あるいは両者を斜面に形成したことを特徴とするまな板。
【考案の詳細な説明】
【技術分野】
【０００１】  本考案は、周囲側面の木口に傾斜を設けたまな板に関するものである。
【背景技術】
【０００２】  まな板は、食品を調理する際に使用される。調理面の上に、直に食品を置くため、衛生を保つ必要がある。
使用後の水切りを改善するまな板として、特許文献に掲げた実用新案登録第３００１０４８号公報が存在する。このまな板は、調理面を左右方向に傾斜させ、調理中の水切り性を向上し、傾斜の流下側のかど部に面取りして水切り性を向上させたものである。
一方本考案は、使用後まな板を流しの上面縁等に立掛けて置くときに、流し上面に接する周囲四面のいずれかの面でも水切りを促進して迅速に乾燥し衛生を保つものであるが、特許文献１にはそれが記載されていない。
【先行技術文献】
【特許文献】
【０００３】
【特許文献１】実用新案登録第３００１０４８号公報
【考案の概要】
【考案が解決しようとする課題】
【０００４】  前記特許文献１に開示された登録実用新案には、流下側かど部のみに面取りを施してあるだけなので、面取りのない面の水切りは依然として不充分である。
まな板を清潔に保つためには、充分な洗浄と乾燥が不可欠である。しかし、まな板は使用頻度が高く、その衛生管理には手間がかかるものであった。
そこで、本考案は、まな板の周囲全四面の水切り性を向上し、且つ、乾燥し易くするように形状を改良し、まな板の衛生性を向上させることを目的とするものである。
又、他の目的は、使用後まな板を容易に持ち上げることができるようにすることである。
【課題を解決するための手段】
【０００５】  前記目的は、直方体のまな板において、まな板の左右対辺側面あるいは、上下対辺側面の一方あるいは両者を斜面に形成することによって達成される。
本考案は、まな板の周囲側面の木口を、従来は直角におとしていたものを、斜面におとし、まな板の形状を平行四辺形状にするものである。
こうすることで、従来洗いにくかったまな板の側面が、表面二面から見える形となり、直角ではなく傾斜面となり表面とひとつづきとなる。表面を洗浄しつつ、まな板を傾けることなく、側面まで一気に洗うことが可能となる。
【考案の効果】
【０００６】  本考案は、前述のように構成したので周囲全四面の水切り性と乾燥性を向上し、更に、使用後まな板を容易に持ち上げることができるまな板を提供することができる。
詳述すれば、上記のように構成されたまな板においては、従来それぞれ直角に隣接する六面を有するまな板が、周囲が傾斜面で構成された表裏二面と化したようなものである。従って、格段に洗浄の手間と時間が省け、洗い易くなり、衛生面が向上する。又、使用後、乾燥させるために、まな板を立て掛けた際、まな板の底辺が斜面のため、接地面積が狭いことと、周囲四辺も傾斜であるため、全面共、水切れが良く乾燥が早い。
まな板を掴む際や、裏表を返す際に指がかかりやすく動作が楽である。
又、裏面から表面に向けて傾斜面を形成した結果として出来たスペースに、手や皿などを差し込めば、その上に刻んだ食材を集め易いという効果も期待できるものである。
【図面の簡単な説明】
【０００７】
【図１】本考案のまな板の一実施例を示す平面図である。
【図２】同じく本まな板の斜面図である。
【図３】同じく本まな板の左側面図である。
【図４】同じく本まな板の上面図である。
【考案を実施するための形態】
【０００８】  洗浄が容易であるためには、形はできるだけ簡略なものが良いという観点から、表面一面に対し、側面である傾斜面は二面が突出する形状とする。
使用時には、使用者は表面と左右どちらか一方の傾斜及び、上側斜面が見えるように使うのが良い。こうすることにより、使用者の手前側と左右どちらか一辺の下には、斜面によってスペースがあるため、手や受け皿が潜り込め、刻んだ食材を受けやすい。
【実施例】
【０００９】  以下、添付図面に従って、本考案の一実施例を説明する。
図１は、本考案の一実施例を示す平面図であり、１は、表面１ａと裏面１ｂとして使用出来るように、木材等で長方形に形成されたまな板である。このまな板の左斜面１ｃ及び下斜面１ｄは、表面１ａから裏面１ｂ向かって図に示すように傾斜面に形成されている。このように傾斜面を形成すれば、まな板を洗浄するとき調理面となる表面１ａを洗いながら、なだらかに続く斜め左側面１ｃと同様に斜めに続く斜め下面１ｄまで、まな板を立てたりせずに一気に洗うことができ、洗浄に要する時間を大幅に短縮でき、角も滑らかであるので洗い残しが少なくなり清潔になる。
１ｅは右斜面で、表面１ａから裏面１ｂに向かって、裏面に凹むように傾斜面に形成されている。１ｆは上斜面であり、同様にして表面１ａの上端から裏面１ｂに向かって、裏面に凹むように斜めに形成されている。
このようにして、本考案のまな板は、表裏をひっくり返し、裏面１ｂを上にして調理面として同様に用いることができるものであり、利便性の高いものとなる。【００１０】  図２は、斜面図である。この図で明らかなように、表面１ａに対し、斜面として突出しているのは、左斜面１ｃと下斜面１ｄの２面である。−方、ひっくり返して裏面１ｂを表面とし調理面として使用するときは、右斜面１ｅと上斜面１ｆが突出面となり、使い勝手は表面１ａ、裏面１ｂどちらが使用面になっても同じとなる。
更に、何れの使用状態においても何れかの斜面の裏側に指を掛けることができ、ひっくり返すのに苦労しないという使い勝手のよいまな板を形成することができる。【００１１】  図３は、左側面図である。乾燥する時は、この様に立て掛けることが多いが、周囲側面は傾斜であり乾きやすい。また、底辺の接地部が何れも線接触になり、全方向乾き易いまな板を提供することができる。
尚、本考案のまな板は木製に限定されるものではなく、プラスチック製あるいはそれに類するまな板にも適用されるものであることを付言しておく。
【符号の説明】１  まな板、１ａ  表面、１ｂ  裏面、１ｃ  左斜面、１ｄ  下斜面、１ｅ  右斜面、１ｆ  上斜面。
【図１】
0003151258.tif 000003
【図２】
0003151258.tif 000004
【図３】
0003151258.tif 000005
【図４】
0003151258.tif 000006
(57)【要約】      （修正有）【課題】高速走行は勿論、低速走行時にも空燃比のガソリン比が多くなる事による加速不良やレスポンス悪化を防ぎ、燃費の向上にもつながるキャブレターを提供する。【解決手段】加速ポンプ付キャブレターに加速ポンプレバーストッパ４を取り付け、スロットルバタフライ２が少しずつ開き始め、バネ３と加速ポンプレバー５の隙間８がなくなるまで加速ポンプレバー５が働かない様にし、低速走行時や渋滞時に空燃比のガソリン比が多くなるのを防止して、加速不良やレスポンス悪化、燃費の悪化を防ぐことに役立つ。【選択図】図２
0003151254.tif 000002
【実用新案登録請求の範囲】
【請求項１】
レバー稼動式加速ポンプを持つキャブレターに戻り方向側用ストッパを設け、開閉させる量が少ない時に加速ポンプの働きを抑制させ、少アクセル開度時のガソリン増加を無くし、燃焼効率の改善させる事を特徴とする加速ポンプレバーストッパ
【考案の詳細な説明】
【技術分野】
【０００１】  本考案は、加速ポンプレバーにストッパを設けた、キャブレターに関するものである。
【背景技術】
【０００２】  加速ポンプ付キャブレターを使用した一般車両を運転していた場合、渋滞などの低速走行時に徐々に空燃比のガソリン比が多くなり、加速不良やレスポンス悪化を招いていた。
【先行技術の文献】
【０００３】  加速ポンプ付キャブレター図４は、急激にアクセルを開けた時、大量の吸入空気に対しガソリンの量が追いつかず、空燃比のガソリン比が少なくなることで加速不良やレスポンス悪化を起こしてしまうことを防ぐ目的で、アクセルに連動する２スロットルバタフライから３バネを伝わって５加速ポンプレバーを動かし、７ダイヤフラムを押し上げ、強制的に６燃料のガソリンを１加速ポンプノズルからエンジンに送り込む仕組みになっている。
【０００４】  加速ポンプ付キャブレターは、アクセルに連動して強制的にガソリンを送り込む仕組みの為、渋滞などの低速走行時などの急激にアクセルを開けていない時にも、アクセルに連動してガソリンをエンジンに送り込んでしまい空燃比のガソリン比が多くなり、加速不良やレスポンス悪化を招いていた。
【考案の開示】
【考案が解決しようとする課題】
【０００５】  空燃比のガソリン比が多くなった現象を解決するために空ぶかしをすると、周りに迷惑になる。更に燃費も悪化し、経済的にも環境的にも悪い。従って、空燃比のガソリン比が低速走行時に多くなってしまう現象を解決しようとするものである。
【課題を解決するための手段】
【０００６】  本考案は、キャブレター本体に加速ポンプレバーストッパを設け、バネと加速ポンプレバーの隙間を調整することにより、少アクセル開時に加速ポンプを抑制し、且つ、本来加速ポンプを必要とする、アクセルを大きく開けた時には従来通りの機能を可能にし、高速走行で問題なく、さらに渋滞などの低速走行時に徐々に空燃比のガソリン比が多くなり、加速不良やレスポンス悪化する問題点を解決している。
【考案の効果】
【０００７】  上述の様に、本考案の加速ポンプレバーストッパは、高速走行は勿論、低速走行時にも空燃比のガソリン比が多くなる事による加速不良やレスポンス悪化を防ぎ、燃費の向上にもつながる。
【図面の簡単な説明】
【０００８】
【図１】  本考案の加速ポンプレバーストッパの一実施例の製作図である
【図２】  本考案を取り付けたキャブレターのスロットル閉の図である
【図３】  本考案を取り付けたキャブレターの加速ポンプの動き始める図である
【図４】  先行技術のキャブレターの加速ポンプの構造の図である
【考案を実施するための最良の形態】
【０００９】  加速ポンプレバーストッパをキャブ本体に取り付ける。次にアクセルの開度が任意（三分の一など）決めた量になった時に加速ポンプレバーが動き始める様、スプリングとレバーの隙間をシムやスペーサーを使って調整する。その際、全閉状態の時に加速ポンプレバーストッパとレバーにクリアランスがある様に加速ポンプストッパの角度を調整する。これによりアクセル開度が任意（三分の一など）に決めた量未満で加速ポンプを抑制し、任意（三分の一など）に決めた量以上になった時に正常に作動させることが出来る様になる。
【実施例】
【００１０】  以下、添付図面に従って一実施例を説明する。図１はアルミ等の金属にて加工されたストッパ本体、図２は２スロットルバタフライが閉じている状態、図３は２スロットルバタフライが任意（三分の一など）に決めた量開いた状態。図２キャブレター本体に４加速ポンプレバーストッパを取り付けることにより、３バネと５加速ポンプレバーの間に８隙間を作ることが出来る【００１１】  スロットルバタフライを徐々に開けていき、図３の様に任意（三分の一など）に決めた量以上２スロットルバタフライが開くと３バネと５加速ポンプレバーに８隙間が無くなり、５加速ポンプレバーを下がり、７ダイヤフラムを押し上げて６燃料を１加速ポンプノズルから吐出する。任意（三分の一など）に決めた量未満の２スロットルバタフライの操作では、３バネと５加速ポンプレバーに隙間があり、７ダイヤフラムを押し上げない為、１加速ポンプノズルから６燃料を吐出しない構造となる。
【符号の説明】
【００１２】  １    加速ポンプノズル
２    スロットルバタフライ
３    バネ
４    加速ポンプレバーストッパ
５    加速ポンプレバー
６    燃料
７    ダイヤフラム（加速ポンプ）
８    隙間（バネと加速ポンプレバーの隙間）
【図１】
0003151254.tif 000003
【図２】
0003151254.tif 000004
【図３】
0003151254.tif 000005
【図４】
0003151254.tif 000006
(57)【要約】      （修正有）【課題】寝具としての機能的な役割を有する布団カバーを提供する。【解決手段】掛け布団カバーを構成している底布の材質において保温性及び、肌ざわりの良い素材を配し、形状において使用時枕側に位置する箇所に底布延長部を設けた。また、この底布延長部をカバー部より切り離し、面ファスナー等で着脱可能にした。【選択図】図３
0003151255.tif 000002
【実用新案登録請求の範囲】
【請求項１】
掛け布団カバーを構成する材質において、少なくとも底布部分に保温性及び肌ざわりが良くなめらかな素材を配し、かつ、形状において、当該布団カバーのカバー部幅寸法はそのままで、長さは、カバー部長手方向の側面より突き出した底布延長部を設け、その延長部の寸法は、これを敷布団上の枕側に向け、該布団カバーに包み一体化した掛け布団を使用したとき、肩口周りの開口部を塞ぐようにカーテン様に垂れ下がる当該延長部分で肩部を包み込むことができる長さ寸法としたことを特徴とする掛け布団カバー。
【請求項２】
掛け布団カバーを構成する底布の形状において、カバー部長手方向の側面より突き出した底布延長部を、カバー部より切り離し、改めてこの部分に同様の機能を有する素材を使用条件等に合わせて選択し、切り離した底布延長部として面ファスナー等で着脱自在に取り付けるようにしたことを特徴とする請求項１記載の掛け布団カバー。
【考案の詳細な説明】
【技術分野】
【０００１】  本考案は、寝具における布団カバーに関するものである。
【背景技術】
【０００２】  寝具における布団カバーの役目は、布団本体の汚れ、傷み等の保護のためだけのもので寝具としての機能的な役割については、役目の範疇以外のものとみられてきた。
【考案の概要】
【考案が解決しようとする課題】
【０００３】  この布団カバーの中の掛け布団カバーにおいて、構成する素材、形状を工夫し、掛け布団と一体化させることにより、有効な機能性を創出すること。
本考案は、以上のことを課題とする。
【課題を解決するための手段】
【０００４】  本考案は、掛け布団カバーを構成する材質において少なくとも底布部分に保温性及び肌ざわりが良く、なめらかな素材を配し、かつ、形状において、カバー部長手方向の側面より突き出した底布延長部を作ったことで、また、この底布延長部をカバー部より切り離し、改めて、切り離した底布延長部として面ファスナー等で着脱自在に取り付けできるようにしたことで課題を解決した。
【考案の効果】
【０００５】  本考案の掛け布団カバーを採用した場合当然、当該カバーと掛け布団は一体となった状態にあり、該布団カバーの底布が保温性、肌ざわりが良くなめらかな素材を使用しているため、毛布の機能を兼ねることになる。
通常、掛け布団を使用時肩口周りには開口部が形成されるが、本考案の掛け布団カバーを採用の場合は、底布延長部があり、この部分を使って当該開口部を塞ぐように処置すると、外気の流入が軽減され、断熱効果が上がることになる。【０００６】  尚、本考案の掛け布団カバーの底布延長部をカバー部より切り離し、改めてこの部分に同様の機能を有する素材を着脱自在に取り付けるようにした場合、当該部分の材質を使用者の年齢、使用時期、地域等に合わせ自由に選択できるようになり、より快適な状況を追求することができる。
【図面の簡単な説明】
【０００７】
【図１】本考案の請求項１における斜視図
【図２】本考案の請求項２における分解斜視図
【図３】本考案の使用状態を示す断面図
【考案を実施するための形態】
【０００８】  以下、本考案の実施の形態を説明する。
掛け布団カバー１を構成する材質において、少なくとも底布３の部分に保温性及び、肌ざわりが良く、なめらかな素材を配し、かつ、形状において、当該布団カバー１のカバー部２の幅寸法はそのままで長さは、カバー部長手方向の側面５より突き出した底布延長部４を設けその延長部分の寸法は、これを敷布団９上の枕１０側に向け該布団カバー１に包み一体化した掛け布団８を使用したとき肩口周りの開口部を塞ぐようにカーテン様に垂れ下がる当該延長部４で肩部を包み込むことができる長さ寸法とする。
【０００９】  また、図２に示すように掛け布団カバー１を構成する底布３の形状において、カバー部長手方向の側面５より突き出した底布延長部４をカバー部２から切り離し、改めてこの部分に同様の機能を有する素材を利用者等の条件に合わせて選択し、切り離した底布延長部６として面ファスナー７等で着脱自在に取り付ける。
本考案は、以上の各構成よりなっている。
【００１０】  本考案の使用法については、まず寝具の組み合わせで、毛布の機能が本考案の掛け布団カバー１の保温性等のある素材を配した底布３にあるので、これまでの寝具の組み合わせから毛布を省くことができる。
使用手順は、本考案の掛け布団カバー１を取り付け一体となった掛け布団８を、底布延長部４を枕１０側にして使用すると、肩口周りには、当該掛け布団８が形成する開口部ができ、その開口部を塞ぐように当該延長部４がカーテン様に垂れ下がるので、該延長部４で両肩を包み込み、首辺りはマフラーを扱う如くに押し当て整えると開口部は閉鎖される。
【００１１】  本考案の掛け布団カバー１の底布３を、カバー部長手方向の側面５でカバー部２より切り離し、着脱自在とした切り離した底布延長部６を設けたことについては、使用法としては変わらないが、その機能面において、当該布団カバー１を取り付け一体となった掛け布団８の利用者が、幼児か高齢者かにより、また使用地域、場所等の状況によりそれぞれ対応したものを用意することができる。
【符号の説明】
【００１２】  １    掛け布団カバー
２    カバー部
３    底布
４    底布延長部
５    カバー部長手方向の側面
６    切り離した底布延長部
７    面ファスナー
８    掛け布団
９    敷布団
１０    枕
【図１】
0003151255.tif 000003
【図２】
0003151255.tif 000004
【図３】
0003151255.tif 000005